(57)【特許請求の範囲】
【請求項１】
電子装置を初期設定するための実行可能な命令を記憶する非一時的なコンピュータ読取可能媒体であって、前記命令は、コンピュータ装置のプロセッサにより実行されたときに、前記コンピュータ装置に、
前記コンピュータ装置の光入力装置を用いて、前記電子装置のディスプレイを読み取ることで、前記ディスプレイに表示されたペアリングトークンに対応する入力を取得させ、
前記入力を処理することで前記ペアリングトークンを識別させ、
前記コンピュータ装置と前記電子装置との間の無線通信セッションを確立するハンドシェイクプロセス中に前記ペアリングトークンを前記電子装置に提供させ、
前記無線通信セッションを介して初期設定プロセスを実行させ、
前記初期設定プロセスが前記電子装置を初期設定することで、前記電子装置が前記初期設定プロセス後に前記電子装置のユーザによって操作可能となり、
前記初期設定プロセスは、前記電子装置に、前記電子装置の動作を管理する構成情報を提供することを含み、
前記構成情報は、前記ユーザ用に前記電子装置の動作をカスタマイズする少なくとも一つのユーザに固有の構成設定を含む、
非一時的なコンピュータ読取可能媒体。
【請求項２】
前記初期設定プロセスは、前記電子装置に、ソフトウェア更新又はファームウェア更新のうちの少なくとも一つを提供することを含む、請求項１に記載の非一時的なコンピュータ読取可能媒体。
【請求項３】
前記ソフトウェア更新又は前記ファームウェア更新のうちの少なくとも一つは、前記電子装置を小売業者に出荷した後であって、前記ユーザによる前記電子装置の購入前に発行する、請求項２に記載の非一時的なコンピュータ読取可能媒体。
【請求項４】
前記初期設定プロセスは、前記電子装置に、前記ユーザに関連付けられたユーザプロファイル情報を提供することを含む、請求項１に記載の非一時的なコンピュータ読取可能媒体。
【請求項５】
前記ユーザプロファイル情報は、前記ユーザの身長、前記ユーザの体重又は前記ユーザの性別のうちの少なくとも一つを含む、請求項４に記載の非一時的なコンピュータ読取可能媒体。
【請求項６】
前記初期設定プロセスは、前記ユーザによる前記電子装置の最初の使用又は前記ユーザのユーザプロファイルの生成のうちの少なくとも一つの前に、実行される、請求項１に記載の非一時的なコンピュータ読取可能媒体。
【請求項７】
前記入力を処理することで前記ペアリングトークンを識別することは、
前記電子装置のディスプレイに提示される一以上の英字、数字若しくは英数字を認識するための光学的文字認識プロセスの実行と、
前記電子装置のディスプレイに提示されるバーコードを読み取るためのバーコード読取プロセスの実行と、
前記電子装置のディスプレイに提示されるパターンを認識するためのパターン認識プロセスの実行と、
前記電子装置のディスプレイに提示される画像を認識するための画像認識プロセスの実行と、
前記電子装置のディスプレイに提示される色を認識するための色認識プロセスの実行と、のうち少なくとも一つを含む、請求項１に記載の非一時的なコンピュータ読取可能媒体。
【請求項８】
実行可能な命令を記憶する非一時的なコンピュータ読取可能媒体であって、前記命令は、電子装置のプロセッサにより実行されたときに、前記電子装置に少なくとも、
前記電子装置においてペアリングトークンをローカルに生成させ、
コンピュータ装置による光学的読取のために前記電子装置のディスプレイにおいて前記ペアリングトークンを提示させ、
前記ディスプレイから前記コンピュータ装置によって光学的に読み取られたペアリングトークンを用いるペアリングプロセスを通じて前記コンピュータ装置との無線通信セッションを確立させ、
前記無線通信セッションを確立する際に初期設定プロセスを実行させることで、前記電子装置が前記初期設定プロセス後に前記電子装置のユーザによって操作可能となり、
前記初期設定プロセスは、前記コンピュータ装置から、前記電子装置の動作を管理する構成情報を受信することを含み、
前記構成情報は、前記ユーザ用に前記電子装置の動作をカスタマイズする少なくとも一つのユーザに固有の構成設定を含む、
非一時的なコンピュータ読取可能媒体。
【請求項９】
前記初期設定プロセスは、前記コンピュータ装置から、ソフトウェア更新又はファームウェア更新のうちの少なくとも一つを受信することを含む、請求項８に記載の非一時的なコンピュータ読取可能媒体。
【請求項１０】
前記初期設定プロセスは、前記コンピュータ装置から、前記ユーザに関連付けられたユーザプロファイル情報を受信することを含む、請求項８に記載の非一時的なコンピュータ読取可能媒体。
【請求項１１】
前記ユーザプロファイル情報は、前記ユーザの身長、前記ユーザの体重又は前記ユーザの性別のうちの少なくとも一つを含み、
前記命令は、前記電子装置のプロセッサにより実行されたときに、前記電子装置に、前記ユーザプロファイル情報に基づいてエネルギー消費情報を更に生成させる、請求項１０に記載の非一時的なコンピュータ読取可能媒体。
【請求項１２】
前記初期設定プロセスは、前記ユーザによる前記電子装置の最初の使用又は前記ユーザのユーザプロファイルの生成のうちの少なくとも一つの前に、実行される、請求項８に記載の非一時的なコンピュータ読取可能媒体。
【請求項１３】
前記非一時的なコンピュータ読取可能媒体は、前記プロセッサにより実行されたときに、前記電子装置に、更に少なくとも前記ユーザによる前記電子装置の最初の起動に応じて前記ペアリングトークンを生成させる命令をさらに含む、請求項８に記載の非一時的なコンピュータ読取可能媒体。
【請求項１４】
前記電子装置は、
前記ユーザの運動を特徴付ける運動情報を取得する活動監視装置と、ここで、当該活動監視装置は、別のコンピュータ装置との相互作用若しくは当該別のコンピュータ装置へのユーザの接近にかかわらず、前記運動情報を取得し、
運動活動の実行中における前記ユーザの運動を特徴付けるアスレチック情報を取得するフィットネス監視装置と、
スポーツ活動の前記ユーザのパフォーマンスと関連付けられたスポーツ情報を取得するスポーツ装置と、のうちの一つである、請求項８に記載の非一時的なコンピュータ読取可能媒体。
【請求項１５】
前記電子装置は、１以上のアスレチックデータ取得ユニットを含み、
各アスレチックデータ取得ユニットは、前記ユーザと関連付けられたアスレチックパラメータを測定するように構成される、請求項８に記載の非一時的なコンピュータ読取可能媒体。
【請求項１６】
前記電子装置は、前記ユーザの手首周り、前記ユーザの腕周り又は前記ユーザの首周りにおいて前記ユーザにより装着されるように構成されるか、
前記電子装置は、前記ユーザにより着用された衣料品に取り付けられるように構成されるか、又は、
前記電子装置は、前記ユーザにより着用された衣料品内に形成される、
請求項８に記載の非一時的なコンピュータ読取可能媒体。
【発明の詳細な説明】
【技術分野】
【０００１】
関連出願の相互参照
本出願は、「Wireless Initialization of Electronic Devices for First Time Use」と題し、２０１３年７月１日に出願された米国仮特許出願第６１／８４１，７３５号の優先権を主張すると共に、その全体が本明細書において援用される。
【０００２】
本開示は、一般に電子装置の初期設定に関し、詳細には初回使用のための電子装置の無線初期設定に関する。
【背景技術】
【０００３】
最良のパフォーマンスとユーザ体験を保証するため、メーカーは、電子装置のソフトウェア又はファームウェアの更新を定期的に提供することがある。幾つかの状況では、メーカーは、電子装置が小売業者に出荷された後でかつ顧客が電子装置を購入する前にソフトウェア又はファームウェア更新を発行することがある。その結果、電子装置を使用する前に利用可能なソフトウェア又はファームウェア更新を確認することが顧客にとって有利なことがある。このプロセスは、電子装置をデスクトップコンピュータなどの計算装置に接続し、リモートシステムにアクセスしてソフトウェア又はファームウェア更新が利用可能かどうかを判断することを必要とすることがある。
【０００４】
他の状況では、ユーザは、購入後できるだけ早く装置を使用したいことがある。したがって、ユーザは、潜在的に時間のかかる更新を回避したいことがある。しかしながら、そのような状況では、装置が初回使用のために機能できるようになる前に、最小限の構成設定と基本設定を適用しなければならないことがある。また、装置でそのような構成設定又は基本設定を提供するには、装置の初期構成を行なうために装置を計算装置に接続しなければならないことがある。
【０００５】
そのような初期段階は、装置を購入してから装置の使用準備ができるまでの時間を遅らせることがある。装置が機能できるようになるのを待たなければならないことは、ユーザ体験を減少させることがある。したがって、電子装置を初期設定するための改善された手法が必要とされている。
【発明の概要】
【課題を解決するための手段】
【０００６】
以下は、開示の幾つかの態様の基本的理解を提供するために単純化された要約を提供する。要約は、開示の広範な概要ではない。開示の重要又は不可欠要素を示すものでもなく開示の範囲を定めるものでもない。以下の要約は、開示の幾つかの概念を、後の説明の前書きとして単純化した形態で表示する。
【０００７】
手首装着型装置などの電子装置を初期設定するコンピュータ実装方法が提供される。光入力装置が、手首装着型装置のディスプレイを読み取って、ディスプレイに表示されたペアリングトークンに対応する入力を取得できる。光入力プロセッサは、その入力を処理してペアリングトークンを識別してもよい。ペアリングトークンは、手首装着型装置との無線通信セッションを確立するために、ハンドシェイクプロセス中に手首装着型装置に提供されてもよい。初期設定プロセスは、無線通信セッションによって行なわれてもよい。初期設定プロセスは、手首装着型装置を初期設定して、ユーザが初期設定プロセスの後で手首装着型装置を操作できるようにしてもよい。
【０００８】
初期設定プロセスは、ユーザのユーザプロファイルの作成前に行なわれ、プロビジョニング処理と構成プロセスを含んでもよい。プロビジョニング処理は、手首装着型装置のファームウェア更新又はソフトウェア更新を提供してもよい。構成プロセスは、手首装着型装置に構成情報とユーザプロファイル情報を提供してもよい。
【０００９】
ユーザが装置を装着している間のユーザの運動に対応する情報を取得する手首装着型装置が提供されてもよい。手首装着型装置は、ペアリングトークンを手首装着型装置でローカルに生成するペアリングトークン生成部を含んでもよい。手首装着型装置は、ディスプレイにペアリングトークンを表示してもよい。したがって、構成装置は、ディスプレイに表示されたペアリングトークンを光学的に読み取ってもよい。手首装着型装置と構成装置は、ペアリングトークンを使用して無線通信セッションを確立し、無線通信が確立された後で初期設定プロセスを自動的に開始してもよい。ペアリングトークン生成部は、装置の初期活動化（アクティベイト）に応じてペアリングトークンを自動的に生成してもよい。また、ペアリングトークンジェンレータは、手首装着型装置で受け取ったユーザ入力に応じてペアリングトークンを生成してもよい。
【００１０】
更に、手首装着型装置を初期設定するための装置が提供される。光入力装置は、手首装着型装置から入力を取得してもよい。その入力は、装置のディスプレイに表示されたペアリングトークンに対応してもよい。光入力プロセッサは、その入力を処理してペアリングトークンを識別してもよい。構成アプリケーションは、手首装着型装置との無線通信セッションを確立するために、ハンドシェイクプロセス中に手首装着型装置にペアリングトークンを提供してもよい。構成アプリケーションは、また、手首装着型装置を初期設定する無線通信セッションによって初期設定プロセスを行なってもよい。初期設定プロセスに続いて、手首装着型装置は、ユーザによる操作に利用可能になってもよい。
【００１１】
ペアリングトークンは、数字、英字又は英字数の文字列、バーコード、画像、パターン又はソリッドカラーでよい。したがって、光入力プロセッサは、光学式文字認識モジュール、バーコードリーダ、画像処理モジュール、パターン認識モジュール又は色認識モジュールでよい。また、ペアリングトークンは、表示されたときに、手首装着型装置のディスプレイを横切ってスクロールするスクローリングペアリングトークンでもよく、手首装着型装置で点滅する点滅ペアリングトークンでもよい。以上その他の態様は、以下に更に詳しく検討される。
【００１２】
本開示は、類似の参照番号が類似の要素を示す添付図面において、例として示され、限定されない。
【図面の簡単な説明】
【００１３】
【図１】個人用トレーニングを提供しかつ／又はユーザの身体運動からデータを取得するように構成されうる例示的システムを示す図である。
【図２】図１のシステムの一部である又はそのシステムと通信しうる例示的なコンピュータ装置を示す図である。
【図３】ユーザによって装着されうるセンサ組立体の実施態様の例を示す図である。
【図４】ユーザによって装着されうるセンサ組立体の実施態様の別の例を示す図である。
【図５】ユーザの衣類上／内に配置されかつ／又はユーザの２つの動く身体部分の間の関係の識別に基づく物理センサを含む知覚入力のための説明的位置を示す図である。
【図６】電子装置を無線初期設定するためのシステムの実施態様の例を示す図である。
【図７】電子装置を無線で初期設定するための例示的方法段階のフローチャートである。
【図８】電子装置を無線で初期設定するための例示的方法段階のフローチャートである。
【図９】第１のタイプのペアリングトークンの例を示す図である。
【図１０】第２のタイプのペアリングトークンの例を示す図である。
【図１１】第３のタイプのペアリングトークンの例を示す図である。
【図１２】第４のタイプのペアリングトークンの例を示す図である。
【図１３】第５のタイプのペアリングトークンの例を示す図である。
【図１４】第６のタイプのペアリングトークンの例を示す図である。
【図１５】第７のタイプのペアリングトークンの例を示す図である。
【図１６】第８のタイプのペアリングトークンの例を示す図である。
【図１７】第９のタイプのペアリングトークンの例を示す図である。
【発明を実施するための形態】
【００１４】
この開示の態様は、電子装置の無線初期設定を対象とする。詳細には、この開示で提供される原理は、初回使用のために電子装置を無線初期設定するために使用されることがある。しかしながら、この開示の利点と共に、提供される原理が、装置の初回使用の後で電子装置を無線で構成するために使用されてもよいことが理解されるであろう。以下で更に詳細に述べる手法は、様々なタイプの無線装置を初期設定するために使用されうる。例えば、後述する説明は、装置の装着中のユーザの運動に対応する情報を取得する手首装着型センサ組立体装置（「手首装着型装置」）の文脈で進行する。しかしながら、後述される原理が、追加又は代替タイプの電子装置に関する追加又は代替の文脈で使用されてもよいことが理解されるであろう。
【００１５】
本説明で使用されるとき、電子装置の初期設定は、電子装置を提供し構成するために電子装置においてデータを追加、除去又は修正することを指す。電子装置の初期設定は、例えば、電子装置に最新ソフトウェア又はファームウェアを提供すること、動作設定又は初期設定を設定又は修正すること、電子装置のユーザと関連したプロファイル情報を設定又は修正すること、及び装置にある情報又はデータの他のタイプの構成又は修正を含む。電子装置における動作設定、初期設定、プロファイル情報、及び他の情報又はデータを設定し修正することは、電子装置を構成すると呼ばれることもある。
【００１６】
以下の説明では、開示の態様が実施されうる様々な例示的実施形態を示す添付図面が参照される。本開示の範囲と趣旨から逸脱することなく他の実施形態を利用できまた様々な構造的及び機能的な修正を行えることを理解されたい。更に、この開示で提供される様々な方法は、開示された特定の順序に限定されるものと解釈されるべきでない。様々な段階の追加及び代替順序が選択的に使用されうる。更に、この開示内の見出しは、開示の限定的態様と見なされるべきでなく、例示的な実施形態は、例示的な見出しに限定されない。
【００１７】
１．例示的個人用トレーニングシステム
１．１  説明的ネットワーク
この開示の態様は、複数のネットワークに亘って利用されることがあるシステム及び方法に関する。この点で、特定の実施形態は、動的ネットワーク環境に適応するように構成されてもよい。更に他の実施形態は、異なる別個のネットワーク環境で動作可能でもよい。図１は、例示的な実施形態による個人用トレーニングシステム１００の例を示す。例示的なシステム１００は、説明的なボディエリアネットワーク（ＢＡＮ）１０２、ローカルエリアネットワーク（ＬＡＮ）１０４、広域ネットワーク（ＷＡＮ）１０６などの１以上の相互接続されたネットワークを含みうる。図１に示され（本開示全体にわたって述べられ）たように、１以上のネットワーク（例えば、ＢＡＮ１０２、ＬＡＮ１０４、及び／又はＷＡＮ１０６）が、重複してもよく、他の形で互いを含んでもよい。説明的なネットワーク１０２〜１０６が、１以上の異なる通信プロトコル及び／又はネットワークアーキテクチャをそれぞれ含むことがあり、更に互い又は他のネットワークに対するゲートウェイを有するように構成されることがある論理的ネットワークであることを当業者は理解されよう。例えば、ＢＡＮ１０２、ＬＡＮ１０４及び／又はＷＡＮ１０６はそれぞれ、セルラーネットワークアーキテクチャ１０８及び／又はＷＡＮアーキテクチャ１１０などの同じ物理ネットワークアーキテクチャに機能的に接続されてもよい。例えば、ＢＡＮ１０２とＬＡＮ１０４両方の構成要素と考えられる携帯電子装置１１２は、アーキテクチャ１０８及び／又は１１０の１以上を介して、伝送制御プロトコル（ＴＣＰ）、インターネットプロトコル（ＩＰ）、ユーザデータグラムプロトコル（ＵＤＰ）などの１以上の通信プロトコルにしたがってデータ及び制御信号をネットワークメッセージに変換し、その逆に変換するように構成されたネットワークアダプタ又はネットワークインタフェースカード（ＮＩＣ）を含んでもよい。これらのプロトコルは、当該技術分野で周知であって、ここではより詳細には検討されない。
【００１８】
ネットワークアーキテクチャ１０８及び１１０は、例えば、ケーブル、ファイバ、衛星、電話、セルラ、ワイヤレスなどの、任意のタイプ又はトポロジの１以上の情報分配ネットワークを単独又は組み合わせで含んでもよく、したがって、１以上の有線又は無線通信チャネル（ＷｉＦｉ（登録商標）、Ｂｌｕｅｔｏｏｔｈ（登録商標）、近距離無線通信（ＮＦＣ）及び／又はＡＮＴ技術を含むがこれらに限定されない。）を有するように様々に構成されてもよい。したがって、図１のネットワーク内の任意の装置（携帯電子装置１１２や本明細書に記載された他の装置など）は、様々な論理ネットワーク１０２〜１０６の１以上に含まれると見なされてもよい。以上のことを念頭におき、説明的なＢＡＮ及びＬＡＮ（ＷＡＮ１０６に結合されることがある）の例示的な構成要素について述べる。
【００１９】
１．１．１  例示的ローカルエリアネットワーク
ＬＡＮ１０４は、例えばコンピュータ装置１１４などの１以上の電子装置を含んでもよい。コンピュータ装置１１４又はシステム１００の他の構成要素は、電話、音楽プレーヤ、タブレット、ネットブック又は任意の携帯装置などの移動端末を含みうる。他の実施形態では、コンピュータ装置１１４は、メディアプレイヤ又はレコーダ、デスクトップコンピュータ、サーバ、ゲームコンソール（例えば、Ｍｉｃｒｏｓｏｆｔ（登録商標）Ｘｂｏｘ、ＳＯＮＹ（登録商標）Ｐｌａｙｓｔａｉｏｎ、及び／又はＮｉｎｔｅｎｄｏ（登録商標）Ｗｉｉゲームコンソールなど）を含みうる。以上が記述のための例示的装置にすぎず、本開示が、任意のコンソール又は計算装置に限定されないことを当業者は理解されよう。
【００２０】
コンピュータ装置１１４の設計と構造が、その意図された目的などの幾つかの因子によって異なることがあることを当業者は理解されよう。コンピュータ装置１１４の１つの例示的実施態様は図２に提供され、図２は、計算装置２００のブロック図を示す。図２の開示が、本明細書に開示された任意の装置に適用できることを当業者は理解されよう。装置２００は、プロセッサ２０２−１や２０２−２（本明細書では一般に「プロセッサ（複数）２０２」又は「プロセッサ２０２」と呼ばれる）などの１以上のプロセッサを含んでもよい。プロセッサ２０２は、相互接続ネットワーク又はバス２０４を介して、互い又は他の構成要素と通信可能である。プロセッサ２０２は、コア２０６−１や２０６−２（本明細書では「コア（複数）２０６」又はより一般に「コア２０６」と呼ばれる）などの１以上の処理コアを含んでもよく、処理チップは、単一集積回路（ＩＣ）チップ上に実装されてもよい。
【００２１】
コア２０６は、共有キャッシュ２０８及び／又は専用キャッシュ（例えば、それぞれキャッシュ２１０−１及び２１０−２）を含んでもよい。１以上のキャッシュ２０８／２１０は、プロセッサ２０２の構成要素による高速アクセスのために、メモリ２１２などのシステムメモリに記憶されたデータをローカルにキャッシュしてもよい。メモリ２１２は、チップセット２１６を介してプロセッサ２０２と通信してもよい。特定の実施形態では、キャッシュ２０８は、システムメモリ２１２の一部でもよい。メモリ２１２は、ランダムアクセスメモリ（ＲＡＭ）、読み出し専用メモリ（ＲＯＭ）を限定ではなく含んでもよく、またソリッドステートメモリ、光学又は磁気記憶装置、及び／又は電子情報を記憶するために使用できる他の媒体を含んでもよい。更に他の実施形態は、システムメモリ２１２を省略してもよい。
【００２２】
システム２００は、１以上の入出力装置（例えば、入出力装置２１４−１〜２１４−３。それぞれ一般に入出力装置２１４と呼ばれる）を含んでもよい。１以上の入出力装置２１４からの入出力データは、１以上のキャッシュ２０８，２１０及び／又はシステムメモリ２１２に記憶されてもよい。入出力装置２１４はそれぞれ、任意の物理的又は無線通信プロトコルを使用して、システム１００の構成要素と機能的に通信するように永久的又は一時的に構成されてもよい。
【００２３】
図１に戻ると、４つの例示的な入出力装置（要素１１６〜１２２として示された）が、コンピュータ装置１１４と通信するように示されている。当業者は、装置１１６〜１２２の１以上が、独立型装置でもよく、コンピュータ装置１１４だけでなく別の装置と関連付けられてもよいことを理解するであろう。例えば、１以上の入出力装置は、ＢＡＮ１０２及び／又はＷＡＮ１０６の構成要素と関連付けられるか対話してもよい。入出力装置１１６〜１２２は、例えばセンサなどのアスレチックデータ取得ユニットを含んでもよいがこれに限定されない。１以上の入出力装置は、ユーザ１２４などのユーザからアスレチックパラメータを感知し、検出しかつ／又は測定するように構成されてもよい。例には、加速度計、ジャイロスコープ、位置決定装置（例えば、ＧＰＳ）、光（非可視光を含む）センサ、温度センサ（周囲温度及び／又は体温を含む）、睡眠パターンセンサ、心拍数モニタ、画像キャプチャセンサ、水分センサ、力センサ、コンパス、角速度センサ、及び／又はこれらの組み合わせが挙げられるが、これらに限定されない。
【００２４】
更に他の実施形態では、入出力装置１１６〜１２２は、出力（例えば、聴覚、視覚、触覚キュー）を提供しかつ／又はスポーツ選手１２４からユーザ入力などの入力を受け取るために使用されてもよい。これらの説明的な入出力装置の例示的な使用を後述するが、当業者は、そのような考察が、単にこの開示の範囲内の多くの選択肢のうちの幾つかの描写であることを理解するであろう。更に、任意のデータ収集ユニット、入出力装置又はセンサの参照が、本明細書に開示されかつ／又は当該技術分野で既知の１以上の入出力装置、データ収集ユニット及び／又はセンサを（個別又は組み合わせで）有することがある実施形態を開示すると解釈されるべきである。
【００２５】
（１以上のネットワークに亘る）１以上の装置からの情報が使用されてもよく、様々な異なるパラメータ、メトリクス又は生理特性の情報で利用されてもよく、そのようなパラメータ、メトリクス又は生理特性には、速度、加速度、距離、歩数、方向、特定の身体部分若しくは対象の他のものに対する相対運動などの動きパラメータ、又は角速度、直線速度若しくはそれらの組み合わせとして表されることがある他の動きパラメータ、カロリー、心拍数、汗検出、労力、酸素消費量、酸素反応速度及び１以上のカテゴリ（圧力、衝撃力など）内にあることがある他のメトリクスなどの生理的パラメータ、スポーツ選手に関する情報（身長、体重、年齢、人口学的情報及びこれらの組み合わせ）が含まれるが、これらに限定されない。
【００２６】
システム１００は、システム１００内で収集されるか又はシステム１００に他の方法で提供されるパラメータ、メトリック又は生理学特性を含むアスレチックデータを送信かつ／又は受信するように構成されてもよい。一例として、ＷＡＮ１０６は、サーバ１１１を含んでもよい。サーバ１１１は、図２のシステム２００の１以上の構成要素を有してもよい。一実施形態では、サーバ１１１は、少なくともプロセッサとメモリ（プロセッサ２０６とメモリ２１２など）を含む。サーバ１１１は、非一時的コンピュータ可読媒体上にコンピュータ実行命令を記憶するように構成されてもよい。命令は、システム１００内で収集された未処理データや処理済みデータなどのアスレチックデータを含んでもよい。システム１００は、エネルギー消費ポイントなどのデータを、ソーシャルネットワークウェブサイト又はそのようなサイトのホストに送信するように構成されてもよい。サーバ１１１は、１人以上のユーザがアスレチックデータにアクセスしかつ／又は比較できるように利用されてもよい。したがって、サーバ１１１は、アスレチックデータや他の情報に基づいて通知を送受信するように構成されてもよい。
【００２７】
ＬＡＮ１０４に戻ると、コンピュータ装置１１４は、例示的な実施形態に関して後述される表示装置１１６、画像キャプチャ装置１１８、センサ１２０及びエクササイズ装置１２２と機能的に通信するように示されている。一実施形態では、表示装置１１６は、特定のアスレチック運動を行なうようにスポーツ選手１２４に視聴覚キューを提供してもよい。視聴覚キューは、ＢＡＮ１０２及び／又はＷＡＮの装置を含む、コンピュータ装置１１４や他の装置上で実行されるコンピュータ実行命令に応じて提供されてもよい。表示装置１１６は、タッチスクリーン装置でもよく、ユーザ入力を受け取るように他の方法で構成されてもよい。
【００２８】
一実施形態では、データは、画像キャプチャ装置１１８及び／又は他のセンサ（センサ１２０など）から取得されてもよく、これらの装置は、アスレチックパラメータを検出（及び／又は測定）するために、単独で使用されてもよく、他の装置又は記憶情報との組み合わせで使用されてもよい。画像キャプチャ装置１１８及び／又はセンサ１２０は、トランシーバ装置を含んでもよい。一実施形態では、センサ１２８は、赤外線（ＩＲ）、電磁気（ＥＭ）又は音響トランシーバを含んでもよい。例えば、画像キャプチャ装置１１８及び／又はセンサ１２０は、波形を、スポーツ選手１２４の方向を含む環境に送信し、「反射」を受信するかそのような放出された波形の変化を他の方法で検出してもよい。当業者は、様々な実施形態により、多数の異なるデータスペクトルに対応する信号が利用されうることを容易に理解するであろう。これに関して、装置１１８及び／又は１２０は、外部ソース（例えば、システム１００ではない）から放射された波形を検出してもよい。例えば、装置１１８及び／又は１２０は、ユーザ１２４及び／又は周囲環境から放射されている熱を検出してもよい。したがって、画像キャプチャ装置１２６及び／又はセンサ１２８は、１以上のサーマルイメージング装置を含んでもよい。一実施形態では、画像キャプチャ装置１２６及び／又はセンサ１２８は、レンジフェノメノロジーを実行するように構成された赤外線装置を含んでもよい。
【００２９】
一実施形態では、エクササイズ装置１２２は、スポーツ選手１２４が身体運動を行なうことを可能にするか容易にするように構成可能な任意の装置（例えば、トレッドミル、ステップマシンなど）でよい。装置が固定されていなくてもよい。この点において、無線技術によって携帯型装置の利用が可能になり、したがって、特定の実施形態により自転車や他の移動訓練装置を利用できる。当業者は、装置１２２は、コンピュータ装置１１４からリモートで実行されるアスレチックデータを含む電子装置を受け取るためのインタフェースでもよくそのようなインタフェースを含んでもよい。例えば、ユーザは、スポーツ用装置（ＢＡＮ  １０２に関して後述される）を使用し、家又は機器１２２の場所に戻った後で、アスレチックデータを要素１２２又はシステム１００の他の装置にダウンロードしてもよい。本明細書に開示された任意の入出力装置が、活動データを受信するように構成されてもよい。
【００３０】
１．１．２  ボディエリアネットワーク
ＢＡＮ１０２は、アスレチックデータを受信し、送信し、又はアスレチックデータの収集を他の方法で容易にするように構成された２つ以上の装置（受動装置を含む）を含んでもよい。例示的な装置には、入出力装置１１６〜１２２が含むがこれに限定されない当該技術分野で知られているか本明細書に開示された１以上のデータ収集ユニット、センサ又は装置が挙げられる。ＢＡＮ１０２の２つ以上の構成要素は、直接通信してもよく、更に他の実施形態では、通信は、ＢＡＮ１０２、ＬＡＮ１０４及び／又はＷＡＮ１０６の一部でもよい第３の装置を介して行われてもよい。ＬＡＮ１０４又はＷＡＮ１０６の１以上の構成要素は、ＢＡＮ１０２の一部を構成してもよい。特定の実施態様では、携帯装置１１２などの装置が、ＢＡＮ１０２、ＬＡＮ１０４及び／又はＷＡＮ１０６の一部であるかどうかは、モバイルセルラーネットワークアーキテクチャ１０８及び／又はＷＡＮアーキテクチャ１１０との通信を可能にするスポーツ選手のアクセスポイントまでの近さに依存する。また、ユーザの活動及び／又は好みが、１以上の構成要素がＢＡＮ１０２の一部として利用されるかどうかに影響を及ぼすことがある。例示的な実施形態は後述される。
【００３１】
ユーザ１２４は、情報を収集するために使用される物理装置又は位置を含むことがある、携帯装置１１２、靴取付型装置１２６、手首装着型装置１２８などの任意数の装置、及び／又は検出位置１３０などの検出位置と関連付けられてもよい（例えば、所有し、携帯し、装着しかつ／又は対話してもよい）。１以上の装置１１２、１２６、１２８及び／又は１３０は、特にフィットネス又はアスレチック用に設計されていなくてもよい。実際には、この開示の態様は、複数の装置からのデータを利用してアスレチックデータを収集、検出及び／又は測定することに関し、それらの装置の幾つかは、フィットネス装置ではない。特定の実施形態では、ＢＡＮ１０２（又は、他のネットワーク）の１以上の装置は、特定のスポーツ用に特別に設計されたフィットネス又はスポーツ用装置を含んでもよい。本明細書で使用されるとき、用語「スポーツ用装置」は、特定のスポーツ又はフィットネス活動中に使用されるか関係されることがある任意の対象物を含む。例示的なスポーツ用装置には、ゴルフボール、バスケットボール、野球ボール、サッカーボール、フットボール、パワーボール、ホッケー用パック、ウェイト、バット、クラブ、スティック、パドル、マット及びこれらの組み合わせが挙げられるが、これらに限定されない。更に他の実施形態では、例示的なフィットネス装置には、ゴールネット、フープ、バックボードなどの環境自体、中線、外部境界マーカ、ベースなどのフィールドの一部分及びこれらの組み合わせを含む、特定のスポーツが行われるスポーツ環境内の物体が含まれうる。
【００３２】
この点に関して、当業者は、１以上のスポーツ用装置は、構造の一部でもよく（又は、構造を構成してもよく）その逆でもよく、構造が、１以上のスポーツ用装置を含んでもよく、スポーツ用装置と対話するように構成されてもよいことを理解するであろう。例えば、第１の構造は、取り外し可能でゴールポストと置き換え可能なバスケットボールゴールとバックボードを含んでもよい。この点において、１以上のスポーツ用装置は、図１〜図３に関して前述されたセンサのうちの１以上など、１以上のセンサを含んでもよく、センサは、独立にあるいは１以上の構造と関連付けられた１以上のセンサなどの他のセンサと関連して利用される情報を提供してもよい。例えば、バックボードは、バックボード上のバスケットボールによる力と力の方向を測定するように構成された第１のセンサを含んでもよく、ゴールは、力を検出する第２のセンサを含んでもよい。同様に、ゴルフクラブは、シャフト上のグリップ属性を検出するように構成された第１のセンサと、ゴルフボールによる衝撃を測定するように構成された第２のセンサとを含んでもよい。
【００３３】
説明的な携帯装置１１２を見ると、この装置は、多目的電子装置でよく、例えば、カリフォルニア州クパチーノのＡｐｐｌｅ，Ｉｎｃ．から入手可能なＩＰＯＤ（登録商標）、ＩＰＡＤ（登録商標）又はｉＰｈｏｎｅ（登録商標）商標装置を含む電話又はデジタル音楽プレーヤ、ワシントン州レッドモンドのＭｉｃｒｏｓｏｆｔから入手可能なＺｕｎｅ（登録商標）又はＭｉｃｒｏｓｏｆｔ（登録商標）Ｗｉｎｄｏｗｓ装置が挙げられる。当該技術分野で知られているように、デジタルメディアプレーヤは、コンピュータ用の出力装置、入力装置及び／又は記憶装置として働くことができる。装置１１２は、ＢＡＮ１０２、ＬＡＮ１０４又はＷＡＮ１０６において１以上の装置から収集された未処理又は処理済みデータを受け取るための入力装置として構成されてもよい。１以上の実施形態では、携帯装置１１２は、コンピュータ装置１１４の１以上の構成要素を含んでもよい。例えば、携帯装置１１２には、前述の入出力装置１１６〜１２２のいずれかなど、ディスプレイ１１６、画像キャプチャ装置１１８、及び／又は１以上のデータ収集装置が挙げられ、移動端末を構成するために追加の構成要素があってもなくてもよい。
【００３４】
１．１．２．１  説明的衣服／アクセサリセンサ
特定の実施形態では、入出力装置は、時計、アームバンド、リストバンド、ネックレス、シャツ、靴などを含む、ユーザ１２４の衣服又はアクセサリ内に構成されるか又は他の方法で関連付けられてもよい。これらの装置は、ユーザのアスレチック運動を監視するように構成されてもよい。これらの装置が、ユーザ１２４がコンピュータ装置１１４と対話している間にアスレチック運動を検出しかつ／又はコンピュータ装置１１４（又は、本明細書で開示された他の装置）と無関係に動作してもよいことを理解されたい。例えば、ＢＡＮ１０２における１以上の装置は、ユーザの接近又はコンピュータ装置１１４との対話に関係なく活動を測定する終日活動モニタとして機能するように構成されてもよい。更に、図３に示された知覚システム３０２と図４に示された装置アセンブリ４００が（それぞれ以下の段落で説明される）、単に説明的な例であることを理解されたい。
【００３５】
１．１．２．１．１  靴装着型装置
特定の実施形態では、図１に示された装置１２６は、本明細書に開示されかつ／又は当該技術分野で知られているものを含むがこれに限定されない１以上のセンサを含んでもよい履物を含みうる。図３は、１以上のセンサ組立体３０４を提供するセンサシステム３０２の１つの例示的実施形態を示す。組立体３０４は、例えば、加速度計、ジャイロスコープ、位置決定構成要素、力センサ、及び／又は本明細書に開示されているか当該技術分野で知られている他のセンサなどの１以上のセンサを含んでもよい。図示された実施形態では、組立体３０４は、複数のセンサを内蔵し、このセンサは、力感応抵抗器（ＦＳＲ）センサ３０６を含んでもよいが、他のセンサが利用されてもよい。ポート３０８は、靴の靴底構造３０９内に位置決めされてもよいが、一般に１以上の電子装置と通信するように構成される。ポート３０８は、必要に応じて、電子モジュール３１０と通信するように提供されてよく、靴底構造３０９は、必要に応じて、モジュール３１０を収容するハウジング３１１や他の構造を含んでもよい。また、センサシステム３０２は、ＦＳＲセンサ３０６をポート３０８に接続して、ポート３０８を介したモジュール３１０及び／又は別の電子装置との通信を可能にする複数のリード線３１２を含んでもよい。モジュール３１０は、靴の靴底構造内の窪み又は空所に収容されてもよく、ハウジング３１１は、窪み又は空所内に位置決めされてもよい。一実施形態では、少なくとも１つのジャイロスコープと少なくとも１つの加速度計は、モジュール３１０やハウジング３１１などの単一ハウジング内に提供される。少なくとも更に他の実施形態では、動作するときに、方向情報と角速度データを提供するように構成された１以上のセンサが提供される。ポート３０８とモジュール３１０は、接続と通信のための相補的インタフェース３１４，３１６を含む。
【００３６】
特定の実施形態において、図３に示された少なくとも１つの力感応抵抗器３０６は、第１と第２の電極又は電気接点３１８，３２０と、電極３１８，３２０間に配置されて電極３１８，３２０を電気的に接続する力感応抵抗材料３２２とを含んでもよい。力感応材料３２２に圧力が加わったとき、力感応材料３２２の固有抵抗及び／又は導電率が変化し、これにより電極３１８，３２０の間の電位が変化する。センサシステム３０２が、抵抗値の変化を検出して、センサ３１６に加わる力を検出できる。力感応抵抗材料３２２は、その抵抗値を圧力下で様々に変化させうる。例えば、力感応材料３２２は、材料が圧縮されたとき減少する内部抵抗を有してもよい。更に他の実施形態は、「体積ベース抵抗」を利用し測定されてもよく、「体積ベース抵抗」は、「スマート材料」によって実現されることがある。別の例として、材料３２２は、２つの力感光材料３２２の間や力感光材料３２２と一方又は両方の電極３１８，３２０との間など、面接触度を変化させることによって抵抗を変化させてもよい。幾つかの状況では、このタイプの力感応抵抗挙動は、「接触ベース抵抗」と示されることがある。
【００３７】
１．１．２．１．２  手首装着型装置
図４に示されたように、装置４００（図１に示された知覚装置１２８７と類似してもよく同一でもよい）は、手首、腕、足首のまわりなど、ユーザ１２４によって装着されるように構成されうる。装置４００は、装置４００の動作中に使用されるように構成された押下式入力ボタン４０２などの入力機構を含んでもよい。入力ボタン４０２は、図１に示されたコンピュータ装置１１４に関して述べた要素のうちの１以上などのコントローラ４０４及び／又は他の電子構成要素に機能的に接続されうる。コントローラ４０４は、ハウジング４０６に埋め込まれてもよく、あるいはその一部でもよい。ハウジング４０６は、エラストマ構成要素を含む１以上の材料から構成されてもよく、ディスプレイ４０８などの１以上のディスプレイを含んでもよい。ディスプレイは、装置４００の照明部分と見なされうる。表示装置４０８は、ＬＥＤランプ４１０などの一連の個別照明要素又はランプ部材を含んでもよい。ランプは、アレイで構成され、コントローラ４０４に機能的に接続されてもよい。装置４００は、インジケータシステム４１２を含んでもよく、インジケータシステムは、また、ディスプレイ４０８全体の一部又は構成要素と見なされうる。インジケータシステム４１２は、ディスプレイ４０８（画素要素４１４を有することがある）と関連して動作し点灯してもよく、ディスプレイ４０８と完全に別個でもよい。また、インジケータシステム４１２は、複数の追加照明要素又はランプ部材を含んでもよいが、例示的実施形態では、ＬＥＤランプの形をとってもよい。特定の実施形態では、インジケータシステムは、１以上の目標の実現を表わすために、インジケータシステム４１２の照明部材の一部分を照明することなどによって、目標の可視指示を提供できる。装置４００は、ディスプレイ４０８及び／又はインジケータシステム４１２によって、ユーザの活動に基づいてユーザが獲得した活動ポイント又は通貨によって表されたデータを表示するように構成されてもよい。
【００３８】
締結機構４１６が外されてもよく、そこで装置４００が、ユーザ１２４の手首又は一部分のまわりに位置決めされてもよく、次に締結機構４１６が、係合位置にされてもよい。一実施形態では、締結機構４１６は、コンピュータ装置１１４及び／又は装置（装置１２０及び／又は１１２など）と対話するために、ＵＳＢポートを含むがこれに限定されないインタフェースを含んでもよい。特定の実施形態では、締結部材は、１以上の磁石を含んでもよい。一実施形態では、締結部材は、可動部がなく、全く磁力に依存してもよい。
【００３９】
特定の実施形態では、装置４００は、センサ組立体（図４に示されていない）を含んでもよい。センサ組立体は、本明細書に開示されかつ／又は当該技術分野で既知のものを含む複数の異なるセンサを含んでもよい。例示的実施形態では、センサ組立体は、本明細書に開示されるか当該技術分野で既知のセンサに対する機能接続を含むか機能接続を可能にしてもよい。装置４００及び／又はそのセンサ組立体は、１以上の外部センサから得られたデータを受け取るように構成されてもよい。
【００４０】
１．１．２．１．３  衣服及び／又は身体位置検出
図１の要素１３０は、センサ、データ収集ユニット、他の装置などの物理装置と関連付けられることがある例示的な知覚位置を示す。更に他の実施形態では、画像キャプチャ装置（例えば、画像キャプチャ装置１１８）などによって、本体部分又は領域の特定位置が監視されてもよい。特定の実施形態では、要素１３０は、センサを含んでもよく、その結果、要素１３０ａ及び１３０ｂは、運動服などの衣服に組み込まれたセンサでよい。そのようなセンサは、ユーザ１２４の身体の任意の所望の位置に配置されてもよい。センサ１３０ａ／ｂは、ＢＡＮ１０２、ＬＡＮ１０４及び／又はＷＡＮ１０６の１以上の装置（他のセンサを含む）と（例えば、無線で）通信してもよい。特定の実施形態では、受動的検出面が、画像キャプチャ装置１１８及び／又はセンサ１２０によって放射された赤外線などの波形を反射してもよい。一実施形態では、ユーザ１２４の衣服に配置された受動的センサは、波形を反射可能なガラス又は他の透明若しくは半透明面で作成されたほぼ球状の構造物を含みうる。様々な種類の衣服を利用することができ、所定の種類の衣服は、適切に装着されたときにユーザ１２４の身体の特定部分の近くに配置されるように構成された特定のセンサを有する。例えば、ゴルフ用衣服は、第１の構成で衣服上に位置決めされた１以上のセンサを含みうるが、サッカー用衣服は、第２の構成で衣服上に位置決めされた１以上のセンサを含んでもよい。
【００４１】
図５は、知覚入力の説明的位置（例えば知覚位置１３０ａ〜１３０ｏを参照）を示す。この点について、センサは、ユーザの衣服上／内に配置された物理センサでよく、更に他の実施形態では、センサ位置１３０ａ〜１３０ｏは、２つの動く身体部分の間の関係の識別に基づいてもよい。例えば、センサ位置１３０ａは、画像キャプチャ装置１１８などの画像キャプチャ装置によってユーザ１２４の動きを識別することによって決定されてもよい。したがって、特定の実施形態では、センサは、特定の位置（１以上のセンサ位置１３０ａ〜１３０ｏなど）に物理的に配置されなくてもよく、他の位置から収集された画像キャプチャ装置１１８や他のセンサデータなどによって、その位置の特性を検出するように構成されてもよい。この点に関して、ユーザの身体の全体形状又は一部分が、特定の身体部分の識別を可能にすることがある。画像キャプチャ装置が利用されるか、ユーザ１２４上に配置された物理センサが利用されるか、他の装置（知覚システム３０２など）からのデータが使用されるか、装置組立体４００及び／又は本明細書に開示されたか当該技術分野で既知の他の装置又はセンサが利用されるかに関係なく、センサは、身体部分の現在位置を検出しかつ／又は身体部分の動きを追跡できる。一実施形態では、位置１３０ｍに関する知覚データは、ユーザの重心（質量中心とも呼ばれる）の決定に利用されることがある。例えば、位置１３０ｍ〜１３０ｏのうちの１以上に対する位置１３０ａと位置１３０ｆ／１３０ｌとの関係を利用して、ユーザの重心が垂直軸方向に持ち上げられたか（ジャンプの際など）、ユーザが膝を曲げ縮めることによってジャンプの「ふり」をしようとしているかを判定できる。一実施形態では、センサ位置１３０６ｎは、ユーザ１２４の胸骨のまわりに配置されてもよい。同様に、センサ位置１３０ｏは、ユーザ１２４の臍（naval）の近くに配置されてもよい。特定の実施態様では、センサ位置１３０ｍ〜１３０ｏからのデータを（単独又は他のデータと組合せて）利用して、ユーザ１２４の重心を決定してもよい。更に他の実施形態では、ユーザ１２４の向き及び／又はユーザ１２４の胴体のねじれなどの回動力を決定する際に、センサ１３０ｍ〜１３０ｏなどの複数の幾つかのセンサ位置の関係が利用されてもよい。更に、位置などの１以上の位置がモーメント中心位置として利用されてもよい。例えば、一実施形態では、位置１３０ｍ〜１３０ｏのうちの１以上が、ユーザ１２４のモーメント中心位置の点として働いてもよい。別の実施形態では、１以上の位置が、特定の身体部分又は領域のモーメント中心として働いてもよい。
【００４２】
２．電子装置の無線初期設定
前述したように、この開示の態様は、例えば電子装置の初回使用のための電子装置の無線初期設定を対象とする。図６に、電子装置６０２を無線で初期設定するためのシステム６００の実施態様の一例が示される。図６に例によって示されたように、電子装置６０２は、モバイル装置６０４などの計算装置と無線通信セッションを確立することがある。モバイル装置６０４は、例えば、移動電話、パームトップコンピュータ、携帯情報端末、タブレットコンピュータ、ラップトップコンピュータ、及び無線通信用に構成された他のタイプの携帯型計算装置でよい。電子装置６０２とモバイル装置６０４は、無線通信６０６を交換して通信セッションを確立し、通信セッションが確立された後で無線通信を交換してもよい。通信セッションにより、モバイル装置６０４は、電子装置を、例えば初回使用のために初期設定し構成してもよい。この点において、計算装置６０４は、構成装置と呼ばれることがある。
【００４３】
電子装置６０２は、例えば、アンテナ６０８、ラジオモジュール（図示せず）、及び無線通信を容易にする他の構成要素を含む、無線通信を容易にする様々な構成要素を含んでもよい。電子装置６０２とモバイル計算装置６０４との間で通信するために使用されうる無線技術規格の一例は、Ｂｌｕｅｔｏｏｔｈである。追加又は代替として、選択的に使用されうる他の無線技術規格は、例えば、無線ＵＳＢ、ＺｉｇＢｅｅ、及び電子装置６０２と計算装置６０４との間の通信セッションを確立し、維持し、利用するのに適した他の無線技術規格を含む。
【００４４】
モバイル装置６０４が、電子装置６０２を初期設定するために使用されるとき、電子装置は、構成情報６１０を１以上のデータストア６１２に記憶してもよい。電子装置６０２のデータストア６１２は、１以上の揮発性メモリ装置、１以上の不揮発性メモリ装置、及びこれらの組み合わせを含んでもよい。データストア６１２は、構成情報６１０並びに電子装置で実行されるソフトウェア６１４を記憶してもよい。データストア６１２は、また、ハードウェア構成要素の動作を制御するファームウェア６１６が常駐するハードウェア構成要素を含んでもよい。図６には例として１つのデータストア６１２だけが示されているが、電子装置６０２は、構成情報６１０、ソフトウェア６１２及びファームウェアが分散される複数のデータストア６１２を含んでもよい。
【００４５】
構成情報には、例えば、構成設定６１８とプロファイル情報６２０が含まれうる。構成設定には、例えば、ユーザが装置６０２の動作をカスタマイズすることを可能にする基本設定が含まれうる。前述のように、電子装置６０２は、幾つかの例示的実施態様では、ユーザの運動を監視し、それらの運動に基づいてエネルギー消費ポイントを計算する手首装着型装置でよい。手首装着型装置は、例えば、ユーザの身体特徴に基づいてエネルギー消費ポイントを計算してもよい。したがって、手首装着型装置は、エネルギー消費ポイントを計算するときにユーザの特定の身長、体重及び性別を考慮してもよい。したがって、ユーザプロファイル情報６２０には、この例では、例えばユーザの身長、体重及び性別が含まれうる。構成情報６１０が、電子装置６０２の操作又は使用と関連した他のタイプの情報を含んでもよいことを理解されよう。
【００４６】
計算装置６０４は、ネットワーク６２１（例えば、インターネット）を介して他のシステムと信号通信してもよい。例えば、計算装置６０４は、電子装置６０２のユーザのユーザプロファイル６２４を維持するプロファイルサーバ６２２と信号通信してもよい。電子装置６０２が手首装着型装置である場合、ユーザプロファイル６２４は、装置によって計算されたエネルギー消費ポイントを追跡してもよい。装置６０２は、モバイル装置６０４を介してエネルギー消費ポイントをプロファイルサーバ６２２にアップロードしてもよく、プロファイルサーバは、アップロードされたエネルギー消費ポイントを記憶し、そのポイントを手首装着型装置のユーザに対応するユーザプロファイル６２４と関連付けてもよい。
【００４７】
計算装置６０４は、また、ネットワーク６２１を介して更新サーバ６２６と信号通信してもよい。更新サーバ６２６は、電子装置６０２のソフトウェア更新６２８とファームウェア更新６３０を記憶してもよい。モバイル装置６０４は、電子装置６０２に代わって更新サーバ６２６にアクセスして、ソフトウェア更新６２８とファームウェア更新６３０を取得してもよい。モバイル装置６０４は、ソフトウェア更新６２８とファームウェア更新６３０をダウンロードし、それらの更新をインストールのために電子装置６０２に伝送してもよい。
【００４８】
モバイル装置６０４は、モバイル装置での通信を容易にする構成アプリケーション６３２を含んでもよい。構成アプリケーション６３２は、例えば、電子装置６０２との無線通信セッションを開始し、確立し、維持してもよい。幾つかの例示的実施態様では、構成アプリケーション６３２は、電子装置６０２とモバイル装置６０４とプロファイルサーバ６２２の間のプロファイル情報６２０の伝送を容易にできる。また、ユーザは、構成アプリケーション６３２を利用して、電子装置６０２で構成設定６１８を見て、設定し、修正してもよい。更に、構成アプリケーション６３２は、電子装置６０２におけるソフトウェア６１４とファームウェア６１６の状態に関する情報を取得し、更新サーバ６２６に照会してソフトウェアとファームウェアが最新かどうかを判定してもよい。ソフトウェア６１４かファームウェア６１６が最新でない場合、構成アプリケーション６３２は、更新サーバ６２６から適切なソフトウェア更新６２８又はファームウェア更新６３０を要求してもよい。構成アプリケーション６３２は、ソフトウェア更新６２８又はファームウェア更新６３０をインストールのために電子装置６０２に伝送してもよい。
【００４９】
電子装置６０２とモバイル装置６０４は、これらの例示的な無線通信６０６を可能にするために無線通信セッションを確立する。通信セッションを確立するために、電子装置６０２が、それ自体を発見可能にしてもよく、モバイル装置６０４が、発見可能な装置を探してもよい。構成アプリケーション６３２は、例えばモバイル装置のユーザ入力に応じて、発見プロセスを開始してもよい。例えば、ユーザは、構成アプリケーション６３２にあるボタンを選択して装置発見プロセスを開始してもよい。幾つかの例示的実施態様では、モバイル装置６０４と構成アプリケーション６３２は、存在を表明する任意の装置からの信号を聴取するように構成されてもよい。電子装置６０２を発見したとき、構成アプリケーション６３２は、モバイル装置６０４を電子装置６０２とペアにするハンドシェイクプロセスを開始してもよい。ハンドシェイクが成功した後で、電子装置６０２とモバイル装置６０４は、ペアにされ、例えばＢｌｕｅｔｏｏｔｈによって無線通信６０６を交換してもよい。
【００５０】
電子装置６０２とモバイル装置６０４は、ペアリングトークンを使用して互いにペアになってもよい。１つの例示的実施態様では、電子装置６０２は、それ自体ペアリングトークンを生成し、そのペアリングトークンをモバイル装置６０４に表示してもよい。別の言い方をすると、ペアリングトークンは、電子装置６０２によってローカルに生成され、モバイル装置６０４に表示されてもよい。電子装置６０２は、ペアリングトークンを動的かつランダムに生成してもよい。したがって、解析トークンは、実行されるペアリングプロセスごとに異なってもよい。その結果として、モバイル装置６０４は、電子装置６０２からペアリングトークンを読み出し、そのペアリングトークンを、電子装置との無線通信セッションを確立するために使用されるハンドシェイクプロセス中に使用してもよい。電子装置６０２は、ペアリングトークンを、モバイル装置６０４による光学的読み出しと認識のために、そのディスプレイ（例えば、図４ではディスプレイ４０８）に表示してもよい。この点において、システム６００は、電子装置６０２とモバイル装置６０４との間の光学ペアリングプロセスを可能にする。光学ペアリングプロセスは、光学的関連付けプロセスと呼ばれることもある。この開示で使用されるとき、光学ペアリングプロセスは、ペアリングトークンを通信するために可視光又は不可視光線（例えば、赤外光）の使用を伴うペアリングプロセスを指す。
【００５１】
種々のタイプのペアリングトークンが、選択的に使用されてもよい。前述のように、ペアリングトークンは、光学ペアリングプロセス用の光学ペアリングトークンでよい。ペアリングトークンの例には、数字の文字列（例えば、個人識別番号  −ＰＩＮ）、英字の文字列（例えば、コードワード）、及び英数字の文字列がある。ペアリングトークンの他の例には、線形バーコードと二次元（２Ｄ）バーコード（例えば、ＱＲコード、ＤｏｔＣｏｄｅ、及び他のタイプのマトリクスバーコード）がある。幾つかの例示的実施態様では、ペアリングトークンは、電子装置６０２のディスプレイで表示された１組の１以上の画像又はパターンでよい。パターンは、単色でも多色でもよい。画像は、例えば、記号、表意文字、絵文字、他のタイプの図形でよい。ペアリングトークンは、また、ソリッドカラー、例えば有色又は着色のペアリングトークンでもよい。幾つかの例示的な実施態様では、電子装置は、ディスプレイを横切ってペリングトークンをスクロールするように構成されてもよく、例えばスクローリング英数字ペアリングトークンでよい。他の例示的な実施形態では、電子装置は、ディスプレイを点滅させることによってペアリングトークンを表示するように構成されてもよく、例えば点滅ペアリングトークンでよい。この場合、モバイル装置は、点滅を記録して、例えば点滅の数、点滅の持続時間及びそれらの組み合わせに基づいてペアリングトークンを識別してもよい。点滅は、また、１つ又は複数の色の点滅でもよい。図９〜図１７は、選択的に使用されうる例示的ペアリングトークンを示す。
【００５２】
モバイル装置６０４は、電子装置のディスプレイに示されたペアリングトークンを読み出し識別するために様々な入力及び処理構成要素を含んでもよい。この点において、モバイル装置６０４は、そのような構成要素を介して入力を取得し、その入力を処理して、電子装置６０２によって生成され表示されたペアリングトークンを識別してもよい。図６の例によって示されたように、モバイル装置６０４は、ペアリングトークンを含むディスプレイの光入力を取得する光入力装置６３２を有する。光入力装置６３２は、例えば、カメラ、バーコードスキャナ、画像スキャナ、他のタイプの光入力装置でよい。モバイル装置は、光入力を処理しペアリングトークンを識別する１以上の光入力処理モジュールを含んでもよい。光入力処理モジュールは、また、光入力プロセッサ又は光入力処理装置と呼ばれることもある。
【００５３】
ペアリングトークンが、数字、英字又は英数字の文字列の場合、光入力処理モジュールは、入力画像を処理し入力画像に含まれるペアリングトークンを認識する光学式文字認識（ＯＣＲ）モジュール６３４でよい。入力画像からペアリングトークンを認識した後、ＯＣＲモジュール６３４は、電子装置６０２とのハンドシェイクプロセス中に使用するためにペアリングトークンを構成アプリケーション６３２に提供してもよい。ＯＣＲモジュール６３４は、光学文字レコグナイザ又はＯＣＲ装置と呼ばれることがある。入力画像内のペアリングトークンは、また、例えば、前述のような、バーコード、画像、パターン又はソリッドカラーでよい。したがって、光入力処理モジュールは、例えば、バーコード読み出しモジュール６３６、画像処理モジュール６３８、パターン認識モジュール６４０、又は色認識モジュール６４２でよい。バーコード読み出しモジュール６３６は、バーコードリーダ又はバーコード読取り装置と呼ばれることもあり、画像処理モジュール６３８は、画像プロセッサ又は画像処理装置と呼ばれることもあり、パターン認識モジュール６４０は、パターンレコグナイザ又はパターン認識装置と呼ばれることもあり、色認識モジュール６４２は、色レコグナイザ又は色認識装置と呼ばれることもある。モバイル装置６０４は、これらの例示的光入力処理モジュール６３４〜６４０のうちの１つ、幾つか又は全てを含んでもよく、そのような例示的モジュールは、構成アプリケーション６３２の一部でもよく、構成アプリケーションと信号通信する別個のモジュールでもよい。
【００５４】
バーコード読み出しモジュール６３６は、入力画像に含まれる１以上のタイプのバーコード（例えば、線形バーコード、２Ｄバーコード）を認識するように構成されてもよい。画像処理モジュール６３８は、電子装置６０２によって生成され、そのディスプレイに示された画像を識別するように構成されてもよい。幾つかの例示的実施態様では、１組の画像が、ＰＩＮとそれぞれ関連付けられてもよい。画像を識別した後、画像処理モジュール６３８は、識別した画像と関連付けられた特定のＰＩＮを決定するために照合を行ってもよい。次に、画像処理モジュール６３８は、電子装置６０２とのハンドシェイクプロセス中に使用するために、構成アプリケーション６３２にＰＩＮを提供してもよい。パターン認識モジュール６４０は、類似の方法でペアリングトークンを識別してもよい。画像処理モジュール６４０は、電子装置６０２によって生成されそのディスプレイに示されたパターンを識別するように構成されてもよい。１組の１以上のパターンが、それぞれＰＩＮと関連付けられてもよい。パターンを識別した後、パターン認識モジュール６４０は、識別されたパターンと関連付けられた特定のＰＩＮを決定するために照合を行って、そのＰＩＮをハンドシェイクプロセス中に使用するように構成アプリケーション６３２に提供してもよい。この例示的な照合プロセスは、ペアリングトークンがソリッドカラーの場合に使用されてもよい。１組の１以上の色が、それぞれＰＩＮと関連付けられてもよく、色認識モジュール６４２は、識別した色と関連付けられた特定のＰＩＮを決定するために照合してもよい。
【００５５】
図７では、電子装置を無線で初期設定するための例示的方法段階のフローチャート７００が示される。方法段階は、この例では、初回使用のために電子装置を初期設定するために実行されてもよく、初回使用後に電子装置を後で構成するために実行されてもよい。ユーザは、最初に、電子装置を活動化（アクティベイト）してもよい（ブロック７０２）。前述のように、電子装置は、ユーザの運動を監視し、エネルギー消費ポイントを計算する手首装着型装置でよい。活動化された後で、手首装着型装置は、別の計算装置との無線接続を確立するときに使用するペアリングトークンを生成してもよい（ブロック７０４）。前述のように、計算装置は、モバイル装置でよく、それにより、ユーザは、手首装着型装置をリモートで初期設定できる。電子装置は、ペアリングトークンを自動的に生成するかユーザ入力の受信に応じて生成するように構成されてもよい。例えば、手首装着型装置は、装置の初期活動化を識別し、これに応じてペアリングトークンを自動的に生成するように構成されてもよい。別の例では、手首装着型装置は、ユーザが装置の入力ボタンを活動化したときにペアリングトークンを生成してもよい。
【００５６】
次に、手首装着型装置自体は、近くの計算装置が発見できるようにされてもよい（ブロック７０６）。同様に、手首装着型装置は、発見可能機能を自動的に活動化するかユーザ入力の受け取りに応じて活動化するように構成されてもよい。手首装着型装置は、モバイル装置による読み出しのためにディスプレイにペアリングトークンを表示してもよい（ブロック７０８）。前述のように、ペアリングプロセスは、光学関連付けプロセスでもよい。したがって、モバイル装置は、手首装着型装置のディスプレイを読み取ってペアリングトークンに対応する入力を取得してもよい（ブロック７１０）。モバイル装置は、入力を処理してペアリングトークンを識別又は認識してもよい（ブロック７１２）。前述のように、モバイル装置は、入力を処理するように構成アプリケーション又は１以上のモジュールを含んでもよい。ペアリングトークンが、文字列、画像、バーコード、パターンなどでよく、モジュールはそれぞれ、ＯＣＲモジュール、画像認識モジュール、バーコード読み出しモジュール、パターン認識モジュール及び色認識モジュールのうちの１以上を含んでもよい。
【００５７】
ペアリングトークンを認識した後で、モバイル装置は、認識したペアリングトークンを使用して手首装着型装置とのハンドシェイクプロセスを開始してもよい（ブロック７１４）。モバイル装置によって提供されたペアリングトークンが、手首装着型装置によって生成されたペアリングトークンと一致する場合、装置は、無線通信を交換するための通信セッションを確立してもよい（ブロック７１６）。通信が確立された後で、手首装着型装置を初期設定するために様々な初期設定処理が自動的に開始されてもよい。初期設定プロセスは、構成アプリケーション又は手首装着型装置自体によって、例えば、初期設定プロセスを行なうように構成アプリケーションに指示するコマンド信号を構成アプリケーションに送信することによって開始されてもよい。１つの例示的な初期設定プロセスは、構成アプリケーションが、手首装着型装置にあるソフトウェア又はファームウェアが最新であるかを判定し、そうでない場合に最新ソフトウェアを提供するプロビジョニング処理でもよい。構成アプリケーションによって、手首装着型装置が、最新ソフトウェア又はファームウェアを含まないと判定された場合（ブロック７１８：  Ｙ）、モバイル装置は、ソフトウェア又はファームウェア更新を手首装着型装置にダウンロードしインストールしてもよい（ブロック７２０）。構成アプリケーションによって、手首装着型装置のソフトウェア又はファームウェアが更新される必要がないと判定された場合（ブロック７１８：  Ｎ）、構成アプリケーションは、例えば構成設定、プロファイル情報、他の情報やデータなどの情報を手首装着型装置にダウンロードしてもよい（ブロック７２２）。構成アプリケーションが、また、手首装着型装置から情報（例えば、前述のようにプロファイルサーバにアップロードするためのプロファイル情報）を取得してもよいことを理解されよう。手首装着型装置が更新され構成された場合、手首装着型装置は、使用準備ができる（ブロック７２４）。
【００５８】
初期設定プロセスの別の例は、構成アプリケーションが構成情報又はプロファイル情報を手首装着型装置にダウンロードする構成プロセスである。図８では、装置を装着するユーザの運動に対応する情報を監視し収集する手首装着型装置を無線で初期設定するための例示的な方法段階の別のフローチャート８００が示される。段階は、この例では、ユーザが、手首装着型装置を初期設定し（ブロック８０２）、装置を使用し始め（ブロック８０４）、その後で収集データを関連付けるプロファイルを作成し、装置のソフトウェア又はファームウェアを更新することを示す。前述のように、ユーザは、手首装着型装置を初回使用のためにモバイル装置によってリモートで初期設定し、それにより、ユーザが、装置を購入後ほとんどすぐに使用し始め、ユーザアカウント及び関連ユーザプロファイルの作成を装置の初回使用後まで延期することが可能になる。ユーザは、また、ソフトウェア又はファームウェア更新のダウンロードとインストールを装置の初回使用後まで延期してもよい。
【００５９】
リモート構成プロセスにより、ユーザは、手首装着型装置に、この例では、エネルギー消費ポイントを計算するために必要な最小限の情報（例えば、性別、身長、体重）を提供してもよい。手首装着型装置が構成され使用準備ができた場合、ユーザは、すぐに運動データをコンパイルしエネルギー消費ポイントを計算し始めることができる（ブロック８０６）。手首装着型装置の初回使用後に、ユーザは、例えばユーザプロファイルサーバにユーザプロファイルを作成し（ブロック８０８）、プロファイルサーバに接続し（ブロック８１０）、計算したエネルギー消費ポイントをアップロードして（ブロック８１２）、新しく作成されたユーザプロファイルと関連付けてもよい（ブロック８１４）。ユーザは、モバイル装置の構成アプリケーション又はデスクトップ計算装置の構成アプリケーションによって、ユーザプロファイルに接続し、エネルギー消費ポイントをアップロードしてもよい。手首装着型装置の初回使用後に、ユーザは、計算装置を介して更新サーバに照会して、ソフトウェア又はファームウェア更新が利用可能かどうかを判定し（ブロック８１６）、利用可能な場合に利用可能なソフトウェア又はファームウェア更新をダウンロードしインストールする（ブロック８１８）。
【００６０】
この例で分かるように、ユーザは、初期設定されたらすぐに手首装着型装置を利用し始めることができる。前述の手法により、ユーザは、購入後ほとんどすぐに装置をリモートで初期設定し使用し始めることができる。したがって、ユーザは、ユーザに都合のよい時間まで、ユーザアカウントとプロファイルの作成並びにソフトウェア又はファームウェア更新を延期できる。例示的なシナリオは、以下の通りである。ユーザは、小売り業者からの手首装着型装置を購入してもよい。移動電話を使用して、ユーザは、手首装着型装置を初期設定してエネルギー消費ポイントを計算するために使用される基本プロファイル情報（例えば、身長、体重及び性別）を提供してもよい。構成した後で、ユーザは、手首装着型装置を取り付け、初期運動データを収集し始め、その日の残り全体にわたる初期エネルギー消費ポイントを計算してもよい。ユーザが家に戻った後、ユーザは、プロファイルサーバ（例えば、デスクトップコンピュータにある）にログオンし、新しいアカウントを作成し、新規ユーザアカウントのユーザプロファイルに関するより詳細なプロファイル情報を提供してもよい。次に、ユーザは、装置の購入後に以前に取得した初期運動データと初期エネルギー消費ポイントをアップロードしてもよい。次に、ユーザは、手首装着型装置を充電ステーションに一晩中接続し、装置を活動化させたままにしてもよい。装置が充電中、装置は、計算装置にある構成アプリケーションと無線通信セッションを自動的に確立して、利用可能なソフトウェア又はファームウェア更新をダウンロードしインストールしてもよい。このようにして、ユーザが装置を購入してからユーザが装置を最初に使用できるまでの遅延が有利に最小化され、より楽しめるユーザ体験が達成される。
【００６１】
前述の例示的手法は、新しいソフトウェア更新とファームウェア更新が利用可能になったときに手首装着型装置を最新に維持するために使用されうる。例えば、ユーザは、手首装着型装置を、充電ステーション（例えば、ＵＳＢ充電ステーション）に接続することによって再充電する。装置の無線を非活動化する代わりに、手首装着型装置は、モバイル装置との無線通信セッションを確立し維持するために無線を活動状態に維持してもよい。モバイル装置にある構成アプリケーションは、定期的に更新サーバに照会して、新しいソフトウェア更新又はファームウェア更新が利用可能かどうかを判断してもよい。新しいソフトウェア更新又はファームウェア更新が利用可能な場合、構成アプリケーションは、新しいソフトウェア更新又はファームウェア更新を手首装着型装置に提供するプロビジョニング処理を自動的に開始してもよい。このようにして、手首装着型装置は、手首装着型装置が使用中でない間、例えば手首装着型装置が充電中に、最新のソフトウェア及びファームウェアで自動的に更新してもよい。
【００６２】
図９〜図１７は、電子装置の無線初期設定を行なうときに選択的に使用されうる例示的なペアリングトークンを示す。これらの図で分かるように、電子装置は、この例では、装置を装着しているユーザの運動に対応する情報を監視し収集するための手首装着型装置である。前述のように、ペアリングトークンは、数字、英字、又は英数字の文字列でよい。図９では、装置９００は、そのディスプレイ９０４に数字ペアリングトークン９０２の例を表示する。図１０では、装置１０００は、そのディスプレイ１００４に英字ペアリングトークン１００２の例を表示する。図１１では、装置１１００は、そのディスプレイ１１０４に英数字ペアリングトークン１１０２の例を表示する。
【００６３】
また前述のように、ペアリングトークンは、線形又は二次元バーコードでもよい。図１２では、装置１２００は、ペアリングトークン１２０２を二次元バーコード（例えば、ＱＲコードマトリクス）としてディスプレイ１２０４に表示する。図１３では、装置１３００は、ペアリングトークン１３０２を線形バーコード（例えば、コード１２８バーコード）としてディスプレイ１３０４に表示する。図１４では、装置１４００は、ペアリングトークン１４０２を、別のタイプの二次元バーコード（例えば、ドットコードマトリクス）としてディスプレイ１４０４に表示する。更に、ペアリングトークンは、前述のように１組の１以上の画像又はパターンでもよい。図１５では、装置１５００は、ペアリングトークン１５０２を１組の４つの記号としてディスプレイ１５０４に表示する。図１６では、装置１６００は、ペアリングトークン１６０２を画像としてディスプレイ１６０４に表示する。図１７では、装置１７００は、ペアリングトークン１７０２をパターンとしてディスプレイ１７０４に表示する。
【００６４】
電子装置とペアにするために使用されるモバイル装置は、これらのペアリングトークンを入力として取得し、次にその入力を処理して、電子装置とペアにするために使用されるペアリングトークンを決定するように構成されてもよい。ディスプレイに表示されるペアリングトークンのタイプが、ディスプレイのタイプに依存することがあることを理解されよう。例えば、手首装着型装置のディスプレイは、１５０×５０ピクセル要素（例えば、図４のＬＥＤランプ４１０）を含むようにサイズを決められてもよく、手首装着型装置によって選択的に使用されるタイプのペアリングトークンは、そのタイプのディスプレイに適することがある。電子装置には、他のタイプのディスプレイ、例えば、液晶ディスプレイ（ＬＣＤ）、発光ダイオードディスプレイ（ＬＥＤ）、プラズマディスプレイ、電子ペーパーディスプレイ、及び計算装置に光学ペアリングトークンを表示するのに適した他のタイプのディスプレイが挙げられることを理解されよう。したがって、電子装置は、これらの他のタイプのディスプレイに表示するのに適したペアリングトークンを選択的に使用してもよい。
【００６５】
開示の態様をその実施形態に関して述べた。この開示の検討から、添付の特許請求の範囲の意図と趣旨の範囲内にある多数の他の実施形態、修正及び変更が明らかになる。例えば、説明図に示された段階は、言及された順序以外の順序で実行されてもよく、示された１以上の段階は、開示の態様により省略可能である。
【符号の説明】
【００６６】
６０２  電子装置
６０４  モバイル装置
６０８  アンテナ
６１０  構成情報
６１２  データストア
６１４  ソフトウェア
６１６  ファームウェア
６１８  設定
６２０  プロファイル情報
６２１  ネットワーク
６２２  プロファイルサーバ
６２４  ユーザプロファイル
６２６  更新サーバ
６２８  ソフトウェア更新
６３０  ファームウェア更新
６３２  構成アプリケーション
６３４  ＯＣＲモジュール
６３６  バーコードリーダ、バーコード読み出しモジュール
６３８  画像処理モジュール
６４０  パターン認識モジュール
６４２  色認識モジュール
【図１】
0006522686.tif 000002
【図２】
0006522686.tif 000003
【図３】
0006522686.tif 000004
【図４】
0006522686.tif 000005
【図５】
0006522686.tif 000006
【図６】
0006522686.tif 000007
【図７】
0006522686.tif 000008
【図８】
0006522686.tif 000009
【図９】
0006522686.tif 000010
【図１０】
0006522686.tif 000011
【図１１】
0006522686.tif 000012
【図１２】
0006522686.tif 000013
【図１３】
0006522686.tif 000014
【図１４】
0006522686.tif 000015
【図１５】
0006522686.tif 000016
【図１６】
0006522686.tif 000017
【図１７】
0006522686.tif 000018